Podtech/llm-jp-corpus-v4-ja_patent huggingface dataset:
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  式：
【化１】
2004525086.tif 000001
（式中、
Ｒ1は、非置換もしくは置換Ｃ1〜Ｃ8アルキルか、または式−ＣＯＯＲ3の基であって、このＲ3が、水素か、または非置換もしくは置換Ｃ1〜Ｃ8アルキルであり、
Ｒ2は、水素か、または非置換もしくは置換Ｃ1〜Ｃ8アルキルであり、
Ｘは、−Ｏ−または−ＮＨ−基であり、
Ｙは、水素か、またはアシルもしくはシリル基であり、
ｎは、０、１または２の数であり、そして
式（１）の化合物中の＊印を付したキラル炭素原子は、主にＲまたはＳ配置のいずれかの純粋な形態である）
の化合物の製造方法であって、式：
【化２】
2004525086.tif 000002
の化合物を、エナンチオ選択的水素化によって、そして適切な場合には、Ｙ基の導入によって変換して、式：
【化３】
2004525086.tif 000003
の化合物の、鏡像異性体（ＲまたはＳ配置体）の一方が富化された鏡像異性体の混合物を形成させ、そしてその鏡像異性体の混合物を、酵素による立体選択的な加水分解、アルコーリシス、アミノリシスまたはアンモノリシスによって分離させ、
そして、Ｘが−ＮＨ−基である式（１）の化合物を製造する場合には、その分割を、Ｒ2′が前記Ｒ2の定義と同じである式ＮＨ2−Ｒ2′の化合物の存在下において、酵素による立体選択的なアミノリシスまたはアンモノリシスによって遂行させる方法。
【請求項２】  エナンチオ選択的水素化を、キラル変性剤としてのシンコナアルカロイドの存在下、触媒として白金を用いて実施する、請求項１記載の方法。
【請求項３】  Ｒ2が非置換または置換Ｃ1〜Ｃ8アルキルである式（３）の化合物の、鏡像異性体の一方が富化されている鏡像異性体の混合物を、酵素による加水分解によって変換し、式：
【化４】
2004525086.tif 000004
（式中、
Ｒ2は、前記定義のとおりであり、
Ｒ1、Ｙおよびｎは、請求項１で定義したとおりであり、そして
式（４ａ）および（４ｂ）の化合物の一方はＲ配置体であり、そして式（４ａ）および（４ｂ）の化合物の他方はＳ配置体である）
の化合物の混合物を形成させる、請求項１または２に記載の方法。
【請求項４】  Ｙがアシル基である式（３）の化合物の、鏡像異性体の一方が富化されている鏡像異性体の混合物を、酵素による加水分解によって変換し、式：
【化５】
2004525086.tif 000005
（式中、
Ｙは、前記定義のとおりであり、
Ｒ1、Ｒ2およびｎは、請求項１で定義したとおりであり、そして
式（５ａ）および（５ｂ）の化合物の一方はＲ配置体であり、そして式（５ａ）および（５ｂ）の化合物の他方はＳ配置体である）
の化合物の混合物を形成させる、請求項１〜３のいずれか一項記載の方法。
【請求項５】  Ｒ2が非置換または置換Ｃ1〜Ｃ8アルキルであり、そしてＹがアシル基である式（３）の化合物の、鏡像異性体の一方が富化されている鏡像異性体の混合物を、酵素による加水分解によって変換し、式：
【化６】
2004525086.tif 000006
（式中、
Ｒ2およびＹは、前記定義のとおりであり、
Ｒ1およびｎは、請求項１で定義したとおりであり、そして
式（６ａ）および（６ｂ）の化合物の一方はＲ配置体であり、そして式（６ａ）および（６ｂ）の化合物の他方はＳ配置体である）
の化合物の混合物を形成させる、請求項１〜４のいずれか一項記載の方法。
【請求項６】  式（３）の化合物の、鏡像異性体の一方が富化されている鏡像異性体の混合物を、式ＮＨ2−Ｒ2′の化合物の存在下で、酵素によるアミノリシスまたはアンモノリシスによって変換し、式：
【化７】
2004525086.tif 000007
（式中、
Ｒ1、Ｒ2、Ｒ2′、Ｙおよびｎは、請求項１で定義したとおりであり、そして
式（７ａ）および（７ｂ）の化合物の一方はＲ配置体であり、そして式（７ａ）および（７ｂ）の化合物の他方はＳ配置体である）
の化合物の混合物を形成させる、請求項１〜５のいずれか一項記載の方法。
【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
ポリエーテルエステルアミド、ポリエステル−エーテルブロックコポリマー、又は前記ポリエーテルエステルアミド又は前記ポリエステル−エーテルブロックコポリマーを含む帯電防止組成物を帯電防止添加剤として含むポリオレフィン繊維又はストリップを、縦糸及び／又は横糸として少なくとも部分的に含む、織られた帯電防止フレキシブル中間バルクコンテナ（ＦＩＢＣ）。
【請求項２】
前記帯電防止添加剤組成物が連続的繊維の形態の混合物であって、
該混合物は、
（ｂ１）繊維状の、又は混合により繊維を形成し、かつポリアクリル酸エステル、ポリメタクリル酸エステル、ポリアクリロニトリル、ポリビニルアルコール、ポリ酢酸ビニル、ポリアミド、ポリウレタン又はポリエステルからなる群から選択されるポリオレフィン支持体中に可溶性ではない有機高分子物質、
（ｂ２）ポリエーテルエステルアミド又はポリエステル−エーテルブロックコポリマー、及び
（ｂ３）前記ポリエーテルエステルアミド、又は前記ポリエステル−エーテルブロックコポリマー（ｂ２）中に錯体化又は溶媒和化されたＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2又はＣａ（ＣＦ3ＳＯ3）2からなる群から選択される塩
を含む請求項１記載の織られた帯電防止フレキシブル中間バルクコンテナ。
【請求項３】
ポリエーテルエステルアミド、ポリエステル−エーテルブロックコポリマー又はポリエーテルエステルアミドもしくはポリエステル−エーテルブロックコポリマーを含む帯電防止組成物を、帯電防止添加剤としてポリオレフィン繊維又はストリップ中に混和し、かつ織物を製織するにあたって、前記ポリオレフィン繊維又はストリップを、縦糸及び／又は横糸として、少なくとも部分的に使用する織られた帯電防止フレキシブル中間バルクコンテナの製造方法。
【請求項４】
ポリエーテルエステルアミド、ポリエステル−エーテルブロックコポリマー又はポリエーテルエステルアミドもしくはポリエステル−エーテルブロックコポリマーを含む帯電防止組成物を、ポリオレフィン繊維又はストリップ中に混和すること及び該ポリオレフィン繊維又はストリップを縦糸及び／又は横糸として少なくとも部分的に織布の中に織り込むことを含む、織られた帯電防止フレキシブル中間バルクコンテナの製造のための、帯電防止添加剤としての前記帯電防止組成物の使用。
【請求項５】
ポリオレフィン繊維又はストリップから作成された織物からなる織られた帯電防止フレキシブル中間バルクコンテナ（ＦＩＢＣ）であって、該織物は、内部及び／又は外部表面上に、塗料の個体重量に基づいて、７％ないし３０％の量でポリエーテルエステルアミド、ポリエステル−エーテルブロックコポリマー又はポリエーテルエステルアミドもしくはポリエステル−エーテルブロックコポリマーを含む帯電防止組成物を帯電防止添加剤として含む塗料を有するところの織られた帯電防止フレキシブル中間バルクコンテナ。
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
窓ガラス用ワイパーのためのワイパーブレードであって、ワイパーラバーを備えており、ワイパーラバーがワイパーリップ（２，６）を有している形式のものにおいて、ワイパーリップ（２）がポリエチレン（１）によって被覆されていることを特徴とする、窓ガラス用ワイパーのためのワイパーブレード。
【請求項２】
ワイパーリップ（２）に反転ウエブ（４）を介してヘッド部分（３）を接続してあり、ワイパーリップ（２）、反転ウエブ（４）及びヘッド部分（３）がポリエチレン（１）によって被覆されている請求項１記載のワイパー。
【請求項３】
ワイパーリップ（２）が部分的にポリエチレンによって被覆されている請求項１又は２記載のワイパー。
【請求項４】
ワイパーリップ（６）が体積内にポリエチレンを含んでいる請求項１から３のいずれか１項記載のワイパー。
【請求項５】
ポリエチレンがPE-UHMWである請求項１から４のいずれか１項記載のワイパー。
【請求項６】
ポリエチレンがPE-HDである請求項１から４のいずれか１項記載のワイパー。
【請求項７】
ポリエチレンがPE-Xである請求項１から４のいずれか１項記載のワイパー。
【請求項８】
ポリエチレンがポリエチレン・シートとして施される請求項１から７のいずれか１項記載のワイパー。
【請求項９】
ポリエチレンがゴム材料と一緒に同時押し出しされている請求項１から８のいずれか１項記載のワイパー。
【請求項１０】
ポリエチレンが射出成形型内に受容されており、ワイパーブレードが射出成形によって成形されている請求項１から８のいずれか１項記載のワイパー。
【請求項１１】
窓ガラス用ワイパーのワイパーブレードの製造のための方法であって、該ワイパーブレードがワイパーラバーを備えており、ワイパーラバーがワイパーリップを有しており、この場合にワイパーリップをポリエチレンと一緒にゴム材料の加硫によって形成する形式のものにおいて、素材としてのポリエチレンを粉末状にして、粉末粒子を３０ミクロン以下の大きさにすることを特徴とする、窓ガラス用ワイパーのワイパーブレードの製造のための方法。
【請求項１２】
ゴム材料を加硫の前にポリエチレンによって被覆する請求項１０記載の方法。
【請求項１３】
ゴム材料を、ポリエチレン粒子を含む分散体によって被覆する請求項１２記載の方法。
【請求項１４】
ポリエチレンを静電的な粉末被覆法によってゴム材料に施す請求項１２記載の方法。
【請求項１５】
ポリエチレンを流動床によってゴム材料に施す請求項１２記載の方法。
【請求項１６】
ゴム材料とポリエチレンとを同時押し出しによって互いに結合する請求項１２記載の方法。
【請求項１７】
ポリエチレンで被覆されたゴム材料を洗浄空気にさらす請求項１２から１６のいずれか１項記載の方法。
【請求項１８】
ワイパーリップを、ゴム材料及びポリエチレンから成る混合物によって形成する請求項１１又は１２記載の方法。
【請求項１９】
混合物が１％と５０％との間のポリエチレン粉末を含んでいる請求項１８記載の方法。
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
凸状の上面と、
この凸状の上面から上方に延びている複数の隆起部材と、を有し、
これらの隆起部材は、前記凸状の上面に隣接した平らなプラットホームを形成するために、高さが異なるものであり、
前記凸状の上面は、容器に係合する周縁部と関連していることを特徴とする真空蓋。
【請求項２】
前記凸状の上面は中央部分を有し、この中央部分に隣接した前記隆起部材の高さは、前記周縁部に隣接した前記隆起部材の高さよりも低い、請求項１に記載の真空蓋。
【請求項３】
前記隆起部材の１つは真空弁を収容している、請求項１に記載の真空蓋。
【請求項４】
前記真空弁を収容している１つの隆起部材は取外し可能である、請求項３に記載の真空蓋。
【請求項５】
凸状の上面と、
この凸状の上面から上方に延び、前記凸状の上面に隣接した平らなプラットホームを形成するために高さが異なっている複数の隆起部材と、
容器に係合する周縁部と、を有し、
前記凸状の上面は中央部分を有し、この中央部分に隣接した前記隆起部材の高さは、前記周縁部に隣接した前記隆起部材の高さよりも低く、
前記隆起部材の１つは真空弁を収容していることを特徴とする真空蓋。
【請求項６】
容器を覆う蓋用の真空弁であって、
蓋に取外し可能に連結された隆起部材と、
この隆起部材を貫いて形成された第１アクセスポートと、
前記蓋を貫いて形成された第２容器アクセスポートと、
この第２容器アクセスポートをシールする第１位置と、前記第２容器アクセスポートを開放する第２位置とを有する弁膜と、を有し、
前記隆起部材は、前記弁膜を収容し、
前記隆起部材は、前記弁膜を第１位置から押しのけて前記弁膜と前記第２容器アクセスポートとの間のシールを開くために、前記隆起部材を前記蓋に対して回転させたときに前記弁膜に係合することができる延長部を備えていることを特徴とする真空弁。
【請求項７】
容器を覆う蓋用の真空弁であって、
蓋に対して取外し可能に連結されたハウジング部材と、
このハウジング部材を貫いて形成された第１アクセスポートと、
前記蓋を貫いて形成された第２容器アクセスポートと、
前記第２容器アクセスポートをシールする第１位置と、前記第２容器アクセスポートを開放する第２位置とを有する弁膜と、を有し、
前記ハウジング部材は、前記弁膜を収容し、
前記ハウジング部材は、前記弁膜を第１位置から押しのけて前記弁膜と第２容器アクセスポートとの間のシールを開くために、前記ハウジング部材を蓋に対して回転させたときに前記弁膜と係合することができる延長部を備えていることを特徴とする真空弁。
【請求項８】
前記弁膜は、弁ステムと、この弁ステムから延びる弁ストッパとを備え、
前記弁ステムは、前記第２容器アクセスポート内に配置され、前記弁ストッパは、前記弁ステムを前記第２容器アクセスポート内に保持する、請求項６に記載の真空弁。
【請求項９】
アクセス孔を含む上面と、
高さが異なる複数の隆起部材と、を有し、前記隆起部材の各々は、前記上面から延びる前記上面よりも上の面を有し、
高さが異なる複数の隆起部材の１つが、前記上面から延びている取外し可能な隆起部材であり、
前記取外し可能な隆起部材は、真空ポートを含み、
更に、前記アクセス孔に近接して前記上面と連結された容器弁を有し、前記取外し可能な隆起部材は、前記容器弁を覆い、前記真空ポートは、前記取外し可能な隆起部材を通して前記容器弁と連通することを特徴とする再使用可能な真空蓋。
【手続補正書】
【提出日】平成16年11月18日(2004.11.18)
【手続補正１】
【補正対象書類名】明細書
【補正対象項目名】００２０
【補正方法】変更
【補正の内容】
【００２０】
次いで、無機繊維１５０を含む成形組成物が下部ダイ１２４に投入され、プレス１４４が作動されて型１２０を閉じる。（図１１）。型１２０が閉じるにつれ、所望の成形を達成するための適量の圧縮成形圧力が加えられる。当該技術に精通する者には理解されるように、成形に必要な圧力の量は、例えば成形される製品の大きさと複雑さ、用いられる成形組成物に特定の特性、および他の係るパラメータの様々な変化による。いくつかの実施の形態では、５０トンまでの圧縮圧力が加えられる。他の実施の形態では、１から２０トンの範囲の、または３から１０トンの範囲の圧縮圧力が加えられる。
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
電気回路デバイスとフレキシブルテープ回路との間の露出した導電接続部を電気泳動めっきによって腐食環境から保護するステップを含み、
前記露出した接続部は凹凸のある平面を有し、該凹凸のある平面を厚さが均一の絶縁薄膜で覆う方法であって、
前記露出した接続部上に第１の電位を設定するステップと、
前記電気回路デバイスの少なくとも露出された接続部を、第２の電位の電極と接触する電気泳動用の溶液に浸すステップとを含み、前記第１の電位は第２の電位と等しくなく、それにより前記電極と前記露出した接続部との間に電流が発生することによって前記露出した接続部がコーティングされる、処理方法。
【請求項２】
前記露出した接続部が、銅、アルミニウム、および金のうちの少なくとも１つから形成されている請求項１に記載の処理方法。
【請求項３】
前記設定するステップは、前記露出した接続部を前記第１の電位に接続させることを含む請求項１に記載の処理方法。
【請求項４】
前記設定するステップは、前記露出した接続部がグラウンド電位に設定されるように該露出した接続部を接続しない状態にすることを含む請求項１に記載の処理方法。
【請求項５】
前記電気泳動用の溶液には、有機樹脂と脱イオンメジアンとが含まれている請求項１に記載の処理方法。
【請求項６】
前記有機樹脂がポリマーである請求項５に記載の処理方法。
【請求項７】
前記膜を硬化させるステップをさらに含む請求項１に記載の処理方法。
【請求項８】
第１の硬化した前記膜の上に第２の膜を電気泳動めっきするステップをさらに含み、前記第１の膜と前記第２の膜とを複合させた厚さが均一な厚さである請求項７に記載の処理方法。
【請求項９】
前記デバイスが、その上にオリフィス板を形成した少なくとも１つの基板と、該基板の表面上に配置されたボンディングパッドに電気接続された少なくとも１つの加熱要素とを備えたサーマルインクジェットデバイスである請求項１に記載の処理方法。
【請求項１０】
前記露出した接続部が、前記フレキシブルテープ回路上の導電トレースと、前記第１のデバイス上のボンディングパッドと、前記トレースと前記パッドとの間のボンディングビームとを含む請求項９に記載の処理方法。
【請求項１１】
前記膜の均一な厚さが、前記第１の電位と前記第２の電位との間の電圧差によって決まるようになっている請求項１に記載の処理方法。
【手続補正書】
【提出日】平成17年3月15日(2005.3.15)
【手続補正１】
【補正対象書類名】特許請求の範囲
【補正対象項目名】請求項３１
【補正方法】変更
【補正の内容】
【請求項３１】
支持材料がＥＰＤＭ（エチレン−プロピレン−ジエン−モノマー）、ＥＰ（エチレン−プロピレンゴム）、アクリロニトリル−ブタジエン−スチレン ターポリマ−、 アセタ−ルポリマ−、アクリルポリマー、セルロース系誘導体、フルオロプラスチック、ナイロン及び他のポリアミド、 ポリアミド−イミド、ポリカーボナート、ポリエステル、ポリエーテルエーテルケトン、ポリエーテルイミド、ポリエチレン、ポリイミド、ポリフェニレン、ポリフェニレン スルフィド、プラストマ−、ポリプロピレン、ポリプロピレン インパクト コポリマー、ポリスチレン、ポリスルホン、ポリウレタン、ポリビニルクロリド、及びこれらの物質の発泡体から選択され、同様にこれら物質のブレンドからも選択される、請求項２７記載の複合物品。
【手続補正２】
【補正対象書類名】特許請求の範囲
【補正対象項目名】請求項５２
【補正方法】変更
【補正の内容】
【請求項５２】
複合物品を生成する方法であって、
（ａ）少なくとも２の材料を共押出しすることにより、ラミネートを生成すること；
（ｂ）当該ラミネートを成形品に熱成形すること（当該ラミネートはタイ層に接する１のイオノマー層を含み、タイ層は酸ポリマーを含む）；及び、
（ｃ）支持体層を当該ラミネートのタイ層に射出成形することにより複合物品を生成すること、
を含む、方法。
【手続補正３】
【補正対象書類名】特許請求の範囲
【補正対象項目名】請求項５４
【補正方法】変更
【補正の内容】
【請求項５４】
タイ層が更に、追加の酸ポリマー、軟質イオノマー、ポリオレフィン、又はそれらのブレンドから選択される少なくとも１の材料層を含む、請求項５２記載の方法。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】  治療有効量の式：
【化１】
2004525079.tif 000001
（式中、Ｒ2およびＲ3は同一であっても異なっていてもよく、水素、非置換もしくは置換アルキル、アルケニル、アリール、アルコキシ、またはヘテロアリール基を示し、Ｍは、ナトリウム、カリウム、カルシウム、マグネシウム、バリウム、およびリチウムからなる群から選択されるアルカリ金属であり、ｎは該アルカリ金属の価数である）のジチオカルバマートチオラートアニオンを投与するステップを含む、ヒトの黒色腫、非小細胞肺癌、小細胞肺癌、腎癌、結腸直腸癌、乳癌、膵臓癌、胃癌、膀胱癌、卵巣癌、子宮癌、リンパ腫および前立腺癌を治療し、Ｐ糖蛋白質膜毒素排出ポンプの遮断によって従来の癌化学療法に対する腫瘍の感受性を高め、Ｐ糖蛋白質膜毒素排出ポンプの遮断によって抗レトロウイルス治療に対するＡＩＤＳ患者の感受性を高め、心血管系に対する低酸素症または虚血による損傷を低減し、喘息または炎症を治療する方法。
【請求項２】  前記ジチオカルバマートチオラートアニオンが、薬学的に許容可能な塩の形態である、請求項１に記載の方法。
【請求項３】  前記ジチオカルバマートチオラートアニオンを、体重あたり約１２５ｍｇ／日〜約１０００ｍｇ／日の投薬量で投与する、請求項１に記載の方法。
【請求項４】  前記ジチオカルバマートチオラートアニオンを、約２５０ｍｇ／日〜約５００ｍｇ／日の投薬量で投与する、請求項１に記載の方法。
【請求項５】  前記ジチオカルバマートチオラートアニオンを非経口投与する、請求項１に記載の方法。
【請求項６】  前記ジチオカルバマートチオラートアニオンを経口投与する、請求項１に記載の方法。
【請求項７】  前記ジチオカルバマートチオラートアニオンを、ヒ素、ビスマス、コバルト、銅、クロム、ガリウム、金、鉄、マンガン、ニッケル、銀、チタン、バナジウム、セレン、および亜鉛からなる群から選択される金属と、低分子量のアニオンとを含む金属錯体と組み合わせて投与する、請求項１に記載の方法。
【請求項８】  前記ジチオカルバマートチオラートアニオンを、ヒ素、ビスマス、コバルト、銅、クロム、ガリウム、金、鉄、マンガン、ニッケル、銀、チタン、バナジウム、セレン、および亜鉛からなる群から選択される金属のイオンを含む金属キレートと組み合わせて投与する、請求項１に記載の方法。
【請求項９】  前記金属錯体を、有機アニオンとのキレートとして投与する、請求項７に記載の方法。
【請求項１０】  前記有機アニオンが、クエン酸イオン、酢酸イオン、グリコン酸イオン、グリシン酸イオン、プロピオン酸イオン、および乳酸イオンからなる群から選択される、請求項９に記載の方法。
【請求項１１】  前記ジチオカルバマートチオラートアニオンを、ヒ素、ビスマス、コバルト、銅、クロム、ガリウム、金、鉄、マンガン、ニッケル、銀、チタン、バナジウム、セレン、および亜鉛からなる群から選択される金属のイオンと、低分子量のアニオンとを含む金属キレートと組み合わせて投与する、請求項１に記載の方法。
【請求項１２】  治療有効量の式：
【化２】
2004525079.tif 000002
（式中、Ｒ2およびＲ3は同一であっても異なっていてもよく、水素、非置換もしくは置換アルキル、アルケニル、アリール、アルコキシ、またはヘテロアリール基を示し、Ｍは、ヒ素、ビスマス、ガリウム、マンガン、セレン、亜鉛、チタン、バナジウム、クロム、鉄、コバルト、ニッケル、銅、銀、銀、および金からなる群から選択される重金属であり、Ａｎは、塩素イオン、臭素イオン、ヨウ素イオン、酢酸イオン、および低分子量の有機または無機の薬学的に許容可能なアニオンからなる群から選択されるアニオンであり、ｎは金属の価数である）のジチオカルバマートチオラート金属錯体を投与するステップを含む、ヒトの黒色腫、非小細胞肺癌、小細胞肺癌、腎癌、結腸直腸癌、乳癌、膵臓癌、胃癌、膀胱癌、卵巣癌、子宮癌、リンパ腫および前立腺癌を治療し、Ｐ糖蛋白質膜毒素排出ポンプの遮断によって従来の癌化学療法に対する腫瘍の感受性を高め、Ｐ糖蛋白質膜毒素排出ポンプの遮断によって抗レトロウイルス治療に対するＡＩＤＳ患者の感受性を高め、心血管系に対する低酸素症または虚血による損傷を低減し、喘息または炎症を治療する方法。
【請求項１３】  前記ジチオカルバマートチオラート金属錯体が薬学的に許容可能な塩の形態である、請求項１２に記載の方法。
【請求項１４】  前記ジチオカルバマートチオラート金属錯体を、体重あたり約１２５ｍｇ／日〜約１０００ｍｇ／日の投薬量で投与する、請求項１２に記載の方法。
【請求項１５】  前記ジチオカルバマートチオラート金属錯体を、約２５０ｍｇ／日〜約５００ｍｇ／日の投薬量で投与する、請求項１２に記載の方法。
【請求項１６】  前記ジチオカルバマートチオラート金属錯体を非経口投与する、請求項１２に記載の方法。
【請求項１７】  前記ジチオカルバマートチオラートアニオンを経口投与する、請求項１２に記載の方法。
【請求項１８】  前記金属錯体を、有機アニオンとのキレートとして別個に投与する、請求項１２に記載の方法。
【請求項１９】  前記有機アニオンが、クエン酸イオン、酢酸イオン、グリコン酸イオン、グリシン酸イオン、プロピオン酸イオン、および乳酸イオンからなる群から選択される、請求項１８に記載の方法。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
ニコチン・アクティブの経粘膜経口投与に有用な固体経口剤形であって、
ａ）ガラス状構造を形成する能力を有する少なくとも１種類の実質的に非吸湿性の糖アルコールを含むガラス状マトリックス；および
ｂ）ニコチン渇望を軽減するのに有効な量のニコチン・アクティブ
を含む剤形。
【請求項２】
糖アルコールが重量比約９９：１〜約１：９９の１,６−ＧＰＳ（６−Ｏ−α−Ｄ−グルコピラノシル−Ｄ−ソルビトール）および１,１−ＧＰＭ（１−Ｏ−α−Ｄ−グルコピラノシル−Ｄ−マンニトール）の混合物を含む請求項１記載の剤形。
【請求項３】
該剤形の重量に基づいて少なくとも約５０％の糖アルコールを含む請求項１記載の剤形。
【請求項４】
ニコチン・アクティブがニコチン、ニコチンの誘導体、およびその組合せから選択される請求項１記載の剤形。
【請求項５】
ニコチン・アクティブの経粘膜経口投与に有用な固体経口剤形であって、
ａ）該剤形の重量に基づいて少なくとも約５０％の、１,６−ＧＰＳ（６−Ｏ−α−Ｄ−グルコピラノシル−Ｄ−ソルビトール）および１,１−ＧＰＭ（１−Ｏ−α−Ｄ−グルコピラノシル−Ｄ−マンニトール）を重量比約９９：１〜約１：９９で含む糖アルコール混合物を含むガラス状マトリックス；および
ｂ）ニコチン渇望を軽減するのに有効な量の、ニコチン、ニコチンの誘導体、およびその組合せから選択されるニコチン・アクティブ
を含む剤形。
【請求項６】
糖アルコールが重量比約７０：３０〜約３０：７０の１,６−ＧＰＳおよび１,１−ＧＰＭの混合物を含む請求項２または５記載の剤形。
【請求項７】
糖アルコールが重量比約６０：４０〜約４０：６０の１,６−ＧＰＳおよび１,１−ＧＰＭの混合物を含む請求項６記載の剤形。
【請求項８】
糖アルコール混合物がＩＳＯＭＡＬＴである請求項７記載の剤形。
【請求項９】
さらに、口中唾液ｐＨをアルカリ性にするのに有効な量のバッファーを含む請求項４または５記載の剤形。
【請求項１０】
ニコチン・アクティブの経粘膜経口投与に有用な固体経口剤形であって、
ａ）該剤形の重量に基づいて少なくとも約５０％の、ＩＳＯＭＡＬＴである糖アルコール混合物を含むガラス状マトリックス；
ｂ）ニコチン渇望を軽減するのに有効な量の、ニコチン、ニコチンの誘導体、およびその組合せから選択されるニコチン・アクティブ；および
ｃ）口中唾液ｐＨをアルカリ性にするのに有効な量のバッファー
を含む剤形。
【請求項１１】
該剤形の重量に基づいて少なくとも約７０％の糖アルコール混合物を含む請求項３、５または１０記載の剤形。
【請求項１２】
該剤形の重量に基づいて少なくとも約８５％の糖アルコール混合物を含む請求項１１記載の剤形。
【請求項１３】
ニコチン・アクティブがニコチンオイル、ニコチン・二酒石酸塩、ニコチン・ポラクリレックスおよびその組合せから選択される請求項４、５または１０記載の剤形。
【請求項１４】
投与単位あたりニコチン・アクティブ約０.５ｍｇ〜約５ｍｇを含む請求項４、５または１０記載の剤形。
【請求項１５】
バッファーが炭酸ナトリウム、炭酸水素ナトリウム、炭酸カルシウム、炭酸カリウム、炭酸水素カリウム、第二リン酸ナトリウム、第三リン酸ナトリウム、第二リン酸カリウム、第三リン酸カリウム、およびその組合せから選択される請求項９または１０記載の剤形。
【請求項１６】
バッファーが炭酸ナトリウム、炭酸カリウム、およびその組合せから選択される請求項１５記載の剤形。
【請求項１７】
ガラス状マトリックスが、さらに、該剤形の重量に基づいて約１％〜約２０％の、シュークロース、ソルビトールおよびキシリトールからなる群から選択される１つまたはそれ以上の化合物を含む請求項３、５または１０記載の剤形。
【請求項１８】
さらに、ニコチン渇望を迅速に軽減させるのに有効な感覚シグナルを生じるための非薬理成分を含む請求項１、５または１０記載の剤形。
【請求項１９】
ロゼンジ剤の剤形である請求項１、５または１０記載の剤形。
【請求項２０】
ニコチン・アクティブの経粘膜経口投与に有用な固体経口剤形であって、該剤形の経口投与開始後のニコチン・アクティブ血漿濃度が少なくとも約６ｎｇ／ｍｌとなる剤形。
【請求項２１】
ニコチン・アクティブの経粘膜経口投与に有用な固体経口剤形であって、該剤形の経口投与開始後の持続性ニコチン・アクティブ血漿濃度が約６ｎｇ／ｍｌ〜約３５ｎｇ／ｍｌとなる剤形。
【請求項２２】
ニコチン・アクティブがニコチン、ニコチンの誘導体、およびその組合せから選択される請求項２０または２１記載の剤形。
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
一種以上のエンドテリンアンタゴニスト(2)との組合せで、一種以上の抗‐コリン作動薬(1)を、場合によりそのエナンチオマー、該エナンチオマーの混合物またはそのラセミ体として、場合によりその溶媒和物または水和物として、および場合により製薬上許容される賦形剤と共に含むことを特徴とする、薬剤組成物。
【請求項２】
該活性物質１および２が、単一処方物中に一緒に、または二つの異なる処方物中に存在する、請求項１記載の薬剤組成物。
【請求項３】
該活性物質１が、チオトロピウム塩、オキシトロピウム塩またはイプラトロピウム塩の中から選択される、請求項１および２の何れか１項に記載の薬剤組成物。
【請求項４】
該活性物質１が、塩化物、臭化物、ヨウ化物、メタンスルホネートまたはp-トルエンスルホネートとして存在する、請求項１〜３の何れか１項に記載の薬剤組成物。
【請求項５】
該活性物質２が、テゾセンタン、ボセンタン、エンラセンタン、シックスタセンタン、T-0201、BMS-193884、K-8794、PD-156123、PD-156707、PD-160874、PD-180988、S-0139およびZD-1611の中から選択される、請求項１〜４の何れか１項に記載の薬剤組成物。
【請求項６】
該活性物質２が、テゾセンタン、ボセンタン、エンラセンタン、シックスタセンタン、T-0201およびBMS-193884の中から選択される、請求項１〜５の何れか１項に記載の薬剤組成物。
【請求項７】
該組成物が、吸入に適した処方物として存在する、請求項１〜６の何れか１項に記載の薬剤組成物。
【請求項８】
該組成物が、吸入性の散剤、プロペラント‐含有計量型エアゾルおよびプロペラントを含まない吸入性の溶液または懸濁液の中から選択される処方物である、請求項７記載の薬剤組成物。
【請求項９】
該組成物が吸入性の散剤であり、該散剤が単糖類、二糖類、オリゴ糖および多糖類、ポリアルコール、塩、またはこれら賦形剤相互の混合物の中から選択される、適当な生理的に許容される賦形剤との混合物として、該活性物質１および２を含む、請求項８記載の薬剤組成物。
【請求項１０】
該組成物が吸入性の散剤であり、その成分として、該活性物質１および２のみを含有する、請求項８記載の薬剤組成物。
【請求項１１】
該組成物がプロペラント‐含有吸入性エアゾルであり、該エアゾルが溶解または分散状態で該活性物質１および２を含む、請求項８記載の薬剤組成物。
【請求項１２】
該プロペラントガスとして、炭化水素またはハロ炭化水素を含む、請求項11記載の薬剤組成物。
【請求項１３】
該プロペラントガスがTG134a、TG227またはその混合物である、請求項12記載の薬剤組成物。
【請求項１４】
該薬剤組成物がプロペラントを含まない吸入性の溶液または懸濁液であり、該溶液または懸濁液が、溶媒として、水、エタノールまたは水とエタノールとの混合物を含む、請求項８記載の薬剤組成物。
【請求項１５】
pHが２〜７の範囲にある、請求項14記載の薬剤組成物。
【請求項１６】
気道の炎症性または閉塞性の諸疾患を治療するための医薬品を調製するための、請求項１〜15の何れか1項に記載の組成物の使用。
【手続補正２】
【補正対象書類名】明細書
【補正対象項目名】０００８
【補正方法】変更
【補正の内容】
【０００８】
本発明による該活性物質１および２の組合せにおいて、該成分１および２は、そのエナンチオマー、エナンチオマーの混合物またはそのラセミ体として存在することができる。
これら２種の活性物質１および２が、本発明による該活性物質の組合せにおいて使用できる割合は、変えることができる。該活性物質１および２は、その溶媒和物または水和物として存在し得る。該化合物１および２の選択により、本発明の範囲内において使用できる質量比は、様々な該化合物の異なる分子量およびその異なる能力に基いて変動する。概して、本発明による該製薬上の組合せは、1:300〜50:1、好ましくは1:250〜40:1なる範囲内の質量比で該化合物１および２を含むことができる。該化合物１としてイプラトロピウム塩またはチオトロピウム塩と、エンドテリンアンタゴニスト２として、テゾセンタン、ボセンタン、シックスタセンタン、T-0201およびBMS-193884を含む、特に好ましい製薬上の組合せにおいて、該化合物１対２の質量比は、最も好ましくは、イプラトロピウムまたはチオトロピウム１'および該化合物２が、1:150〜30:1、最も好ましくは1:50〜20:1なる範囲内の割合で存在するような範囲内にある。
例えば、本発明の範囲を限定するつもりはないが、本発明による該化合物１および２の好ましい組合せは、以下のような質量比で、イプラトロピウムまたはチオトロピウム１'およびエンドテリンアンタゴニスト２を含むことができる：
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
式Ｉ：
【化１】
2004525912.tif 000001
で表される化合物、またはその製薬上許容される塩。
【請求項２】
化合物、Ｒ−（−）−Ｎ−メチル  ３−（（２−メチル−４−ヒドロキシフェニル）オキシ）−３−フェニル−１−アミノプロパン塩酸塩。
【請求項３】
式Ｉ：
【化２】
2004525912.tif 000002
で表される化合物またはその製薬上許容される塩を、製薬上許容されるキャリア、希釈剤または賦形剤と共に含有する医薬製剤。
【請求項４】
式Ｉの化合物がＲ−（−）−Ｎ−メチル  ３−（（２−メチル−４−ヒドロキシフェニル）オキシ）−３−フェニル−１−アミノプロパン塩酸塩である、請求項３に記載の医薬製剤。
【請求項５】
Ｒ−（−）−Ｎ−メチル  ３−（（２−メチル−４−ヒドロキシフェニル）オキシ）−３−フェニル−１−アミノプロパン塩酸塩とデンプン希釈剤およびシリコーン油滑沢剤との乾燥混合物を含有する、ゼラチン硬カプセルの形態での医薬製剤。
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
(a) ヘパリンコファクターIIアゴニスト、および
(b) 血小板GPIIb/IIIa受容体アンタゴニストを含み、
ヘパリンコファクターIIアゴニストの量および血小板GPIIb/IIIa受容体アンタゴニストの量が、組み合わせた場合にトロンビン生成および血小板凝集を阻害するのに治療上効果的な量であることを特徴とする組合せ薬剤。
【手続補正書】
【提出日】平成15年10月3日(2003.10.3)
【手続補正１】
【補正対象書類名】特許請求の範囲
【補正対象項目名】全文
【補正方法】変更
【補正の内容】
【特許請求の範囲】
【請求項１】
下記の成分、
約10〜80重量%のポリマー;
約20〜70重量%の粘着付与樹脂;
約0〜50重量%の可塑剤;
約0〜50重量%のワックス;
約0.1〜5重量%の酸化防止剤; 及び
約0.01〜5重量%の静菌剤;
のブレンドを成分の合計が100重量%となるように含んだ抗菌性のホットメルト接着剤組成物であって、前記静菌剤が式
【化１】
2004525996.tif 000001
(式中、X1は、塩素と臭素からなる群から選択される基であり; X2は、塩素と臭素からなる群から選択される基であり; そしてX3は、水素と塩素からなる群から選択される基である)で示される化合物を含み、そして前記静菌剤が、前記組成物の表面に容易にブルームを起こしてそこから拡散するような程度に前記組成物中の他の成分に対して相溶性がある、前記抗菌性ホットメルト接着剤組成物。
【請求項２】
下記の成分、
約20〜35重量%のポリマー;
約35〜60重量%の粘着付与樹脂;
約5〜40重量%の可塑剤;
約0〜50重量%のワックス;
約1重量%の酸化防止剤; 及び
約0.3〜2重量%の静菌剤;
のブレンドを成分の合計が100重量%となるように含んだ抗菌性のホットメルト接着剤組成物であって、前記静菌剤が式
【化２】
2004525996.tif 000002
(式中、X1は、塩素と臭素からなる群から選択される基であり; X2は、塩素と臭素からなる群から選択される基であり; そしてX3は、水素と塩素からなる群から選択される基である)で示される化合物を含み、そして前記静菌剤が、前記組成物の表面に容易にブルームを起こしてそこから拡散するような程度に前記組成物中の他の成分に対して相溶性がある、前記抗菌性ホットメルト接着剤組成物。
【請求項３】
X1、X2、及びX3のそれぞれが塩素である、請求項１または２記載の組成物。
【請求項４】
X1とX2のそれぞれが塩素であり、X3が水素である、請求項１または２記載の組成物。
【請求項５】
前記ポリマーがスルホン化ポリエステルである、請求項１または２記載の組成物。
【請求項６】
前記ポリマーが、エチレン/酢酸ビニル、エチレンアクリレート、エチレンメタクリレート、エチレンメチルアクリレート、エチレンメチルメタクリレート、高密度ポリエチレン、低密度ポリエチレン、ポリエチレンブレンド、化学変性したポリエチレン、エチレンと1〜6種のモノ-又はジ-不飽和モノマーとのコポリマー、エチレン/スチレンインターポリマー、ポリエステル、非晶質ポリアルファオレフィン、メタロセン触媒化ポリアルファオレフィン、スチレン-イソプレン-スチレンブロックコポリマー、スチレン-ブタジエン-スチレンブロックコポリマー、スチレン-エチレン-ブチレン-スチレンブロックコポリマー、スチレン-ブタジエンゴム、アクリルポリマーとアクリルコポリマー、スチレンアクリルポリマーとスチレンアクリルコポリマー、ポリブテン-1ホモポリマーとポリブテン-1コポリマー、A-B-A線状ブロックコポリマー、A-(B-A)n-B線状マルチブロックコポリマー、式(A-B)n-Y(式中、Aはポリスチレンブロックを含み、Bは実質的にゴム状のポリブタジエンブロックもしくはポリイソプレンブロックを含み、Yは多価化合物を含み、nは少なくとも3の整数である)のラジアルコポリマーもしくはテレブロックコポリマー、及び前記物質の混合物からなる群から選択される、請求項１または２記載の組成物。
【請求項７】
前記ポリマーが水溶性ポリマーである、請求項１または２記載の組成物。
【請求項８】
前記水溶性ポリマーが、スルホン化ポリエステル、ポリビニルメチルエーテル、ポリアルキレンイミンポリマーとポリアルキレンイミンコポリマー、ポリビニルアルコール、ポリラクチドポリマー、ポリエチレングリコールポリマー、ポリアクリル酸とその塩、エチレン/アクリル酸とその塩、及びポリビニルピロリドン/酢酸ビニルからなる群から選択される、請求項７記載の組成物。
【請求項９】
前記酸化防止剤がヒンダードフェノールである、請求項１または２記載の組成物。
【請求項１０】
前記粘着付与樹脂が、脂肪族及び脂環式の炭化水素樹脂とそれらの水素化誘導体、芳香族炭化水素樹脂と水素化芳香族炭化水素樹脂、芳香族部分を変性した脂肪族樹脂及び脂環式樹脂とそれらの水素化誘導体、天然ロジンと変性ロジン、天然ロジンのエステルと変性ロジンのエステル、ポリテルペン、並びに天然テルペン及びフェノール変性テルペンのコポリマーとターポリマーからなる群から選択される、請求項１または２記載の組成物。
【請求項１１】
前記可塑剤が鉱油とポリブテンからなる群から選択される、請求項１または２記載の組成物。
【請求項１２】
前記ワックスが、低分子量ポリエチレン、石油ワックス、合成ワックス、及びポリオレフィンワックスからなる群から選択される、請求項１または２記載の組成物。
【請求項１３】
前記接着剤組成物がさらに、充填剤を最大50重量%までの量にて含む、請求項１または２記載の組成物。
【請求項１４】
前記接着剤組成物がさらに、着色剤及び蛍光剤からなる群から選択される添加剤を含む、請求項１または２記載の組成物。
【請求項１５】
請求項１または２記載の接着剤を含有する吸収性物品。
【請求項１６】
使い捨ておむつ、婦人ケア用品または外科手術用ドレープである、請求項１５記載の吸収性物品。
【請求項１７】
約95〜99.99重量%の、約100より大きいメルトインデックスを有する熱可塑性ポリマー; 及び
約0.01〜5重量%の静菌剤;
を含む、350°Fにて約50,000cP未満の粘度を有する抗菌性の噴霧可能な熱可塑性ポリマー組成物であって、前記静菌剤が、前記組成物の表面に容易にブルームを起こしてそこから拡散するような程度に前記組成物中の他の成分に対して相溶性がある、前記組成物。
【請求項１８】
前記静菌剤が、式
【化３】
2004525996.tif 000003
(式中、X1は、塩素と臭素からなる群から選択される基であり; X2は、塩素と臭素からなる群から選択される基であり; そしてX3は、水素と塩素からなる群から選択される基である)で示される化合物を含む、請求項１７記載の組成物。
【請求項１９】
請求項１７または１８記載のポリマー組成物を含有する吸収性物品。
【請求項２０】
使い捨ておむつ、婦人ケア用品または外科手術用ドレープである、請求項１９記載の吸収性物品。
【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
式Ｉ：
【化１】
2004525952.tif 000001
［式中、
ＢはNR3またはCH2のいずれかであり、ＡはCHまたはNのいずれかである。ただし、ＢがNR3である場合はＡはCHであり、ＢがCH2である場合にはＡはNである。
Ｒ1は、水素、
場合により１個のヒドロキシ基で置換されているC1-C4アルキル、
（CH2）nC（O）R4、（C1-C4アルキル）NH2、（CH2）nNHC（O）R5、S（O）2R6、CO2NH-ベンジル、
（場合により１個のヒドロキシ基で置換されているC1-C4アルキル）-場合により１または３個のC1-C6アルキル、C1-C4アルコキシ、ハロ、ベンジル、フェニル、ヒドロキシ、トリフルオロメトキシまたはオキソ基で独立して置換されているフェニル、または
場合により１または２個のC1-C6アルキル、C1-C4アルコキシ、ハロ、ベンジル、フェニル、トリフルオロメチルまたはオキソ基で独立して置換されているヘテロ環である。
nは、0、1または2である。
pは、0、1、2、3または4である。
Ｒ２は、水素またはオキソである。
Ｒ３は、水素またはBOCである。
Ｒ４は、C1-C4アルコキシ、（１個のヒドロキシ基で場合により置換されているC1-C4アルキル）-場合により１または３個のC1-C6アルキル、C1-C4アルコキシ、ハロ、ベンジル、フェニル、ヒドロキシ、トリフルオロメトキシまたはオキソ基で独立して置換されているフェニル、
（CH2）p-場合により１または２個のC1-C6アルキル、C1-C4アルコキシ、ハロ、ベンジル、フェニル、トリフルオロメチルまたはオキソ基で独立して置換されているヘテロ環、
NHR7、キノリニルまたは
（CH2）p-O-場合により１または２個のC1-C6アルキル、C1-C4アルコキシ、ハロ、ベンジル、フェニル、トリフルオロメチルまたはオキソ基で独立して置換されているヘテロ環である。
Ｒ５は、C1-C4アルコキシ、
場合により１または３個のC1-C6アルキル、C1-C4アルコキシ、ハロ、ベンジル、フェニル、ヒドロキシ、トリフルオロメトキシまたはオキソ基で独立して置換されているフェニル
（１個のヒドロキシ基で場合により置換されているC1-C4アルキル）-場合により１または３個のC1-C6アルキル、C1-C4アルコキシ、ハロ、ベンジル、フェニル、ヒドロキシ、トリフルオロメトキシまたはオキソ基で独立して置換されているフェニル、または
（CH2）p-場合により１または２個のC1-C6アルキル、C1-C4アルコキシ、ハロ、ベンジル、フェニル、トリフルオロメチルまたはオキソ基で独立して置換されているヘテロ環である。
Ｒ６は、（CH2）p-場合により１または３個のC1-C6アルキル、C1-C4アルコキシ、ハロ、ベンジル、フェニル、ヒドロキシ、トリフルオロメトキシまたはオキソ基で独立して置換されているフェニル、または
場合により１または２個のC1-C6アルキル、C1-C4アルコキシ、ハロ、ベンジル、フェニル、トリフルオロメチルまたはオキソ基で独立して置換されているヘテロ環である。
Ｒ７は、（CH2）p-場合により１または３個のC1-C6アルキル、C1-C4アルコキシ、ハロ、ベンジル、フェニル、ヒドロキシ、トリフルオロメトキシ、ニトロまたはオキソ基で独立して置換されているフェニル、または
（CH2）p-場合により１または２個のC1-C6アルキル、C1-C4アルコキシ、ハロ、ベンジル、フェニル、トリフルオロメチルまたはオキソ基で独立して置換されているヘテロ環である。］
で表される化合物またはその薬学的な塩。
【請求項２】
請求項１に記載の化合物またはその薬学的な塩を、１種またはそれ以上の製薬的なキャリア、希釈剤または賦形剤とともに含有する医薬製剤。
【請求項３】
請求項１に記載の化合物を、１種またはそれ以上の製薬的なキャリア、希釈剤または賦形剤とともに含有する、ＭＲＰ１の阻害に適合されている医薬組成物。
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
以下の式
（Ｒ１−ＣＯ−Ｏ）ｎＭ
｛式中、
Ｒ１が、Ｃ７−１１アルキルであり、そして
Ｍが、金属モノカチオン（ｎ＝１）又はジカチオン（ｎ＝２）である。｝によって表される塩である化合物を含む骨髄抑制、創傷、骨髄移植及び好中球減少症から選ばれる症状の治療用医薬組成物。
【請求項２】
前記Ｍが、カルシウム、マグネシウム、カリウム、又はナトリウム・カチオンである、請求項１に記載の医薬組成物。
【請求項３】
前記化合物が、カプリル酸ナトリウム、カプリン酸ナトリウム、カプリル酸カルシウム、又はカプリン酸カルシウムである、請求項１に記載の医薬組成物。
【請求項４】
前記Ｍがモノカチオンである、請求項１〜３のいずれか１項に記載の医薬組成物。
【請求項５】
前記化合物がカプリン酸ナトリウムである、請求項１に記載の医薬組成物。
【請求項６】
前記症状が、薬物によって誘発された好中球減少症であるか、又は血液の病気に起因するか、栄養欠乏症に起因するか、感染症に起因するか、若しくは放射線療法に起因する好中球減少症である、請求項１〜５のいずれか１項に記載の医薬組成物。
【請求項７】
請求項１〜６のいずれか１項に記載の症状の治療における同時の又は個々の使用のための、請求項１〜５のいずれか１項に記載の化合物及びヒト・コロニー形成活性化因子を含む物。
【請求項８】
前記因子がＧ−ＣＳＦ又はＧＭ−ＣＳＦである、請求項７に記載の物。
【請求項９】
請求項１〜６のいずれか１項に記載の症状の治療における同時の又は個々の使用のための、請求項１〜５のいずれか１項に記載の化合物及びヒト・サイトカインを含む物。
【請求項１０】
前記サイトカインがインターロイキン２又はインターロイキン１５である、請求項９に記載の物。
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
a. 抗菌性テトラサイクリン化合物、および
b. 少なくとも1種の除放剤；
を含み、前記テトラサイクリン化合物を前記少なくとも1種の除放剤と結合させて哺乳類中にテトラサイクリン放出プロフィールを与え、それによって哺乳類を実質的に抗菌活性を有しない前記テトラサイクリン化合物によって治療することを特徴とする哺乳類へのテトラサイクリン化合物の伝達用組成物。
【請求項２】
前記放出プロフィールが、哺乳類中で約0.1μg/ml〜約1.0μg/mlの前記テトラサイクリン化合物血清濃度値を与える、請求項１記載の組成物。
【請求項３】
前記放出プロフィールを約6〜24時間に亘って実質的に一定速度に維持する、請求項１記載の組成物。
【請求項４】
前記抗菌性テトラサイクリン化合物が、テトラサイクリン、ドキシサイクリン、デメクロサイクリン、ミノサイクリン、およびリメサイクリンからなる群から選ばれる、請求項１記載の組成物。
【請求項５】
前記放出プロフィールが、哺乳類中で約0.4μg/ml〜約0.8μg/mlの前記ドキシサイクリン血清濃度値を与える、請求項４記載の組成物。
【請求項６】
前記除放剤が、即効性放出剤、持続性放出剤、遅延性放出剤およびこれらの組合せからなる群から選ばれる、請求項１記載の組成物。
【請求項７】
前記即効性放出剤が界面活性剤である、請求項６記載の組成物。
【請求項８】
前記持続性放出剤が、ゲル類、ワックス類、油脂類、乳化剤類、ポリマー類、澱粉、セルロースポリマー類、およびこれらの組合せからなる群から選ばれる、請求項６記載の組成物。
【請求項９】
前記セルロースポリマー類が、ヒドロキシプロピルメチルセルロース(HPMC)、ヒドロキシエチルセルロース(HEC)、ヒドロキシプロピルセルロース(HPC)、カルボキシメチルセルロース(CMC)、およびこれらの混合物からなる群から選ばれる、請求項８記載の組成物。
【請求項１０】
前記遅延性放出剤が、高分子もしくは生分解性コーティングもしくはマトリックス、またはこれらの組合せからなる群から選ばれる、請求項６記載の組成物。
【請求項１１】
前記テトラサイクリン化合物と前記除放剤間の結合が、物理結合、化学結合およびこれらの組合せからなる群から選ばれる、請求項１記載の組成物。
【請求項１２】
少なくとも1種の除放剤を有する除放性マトリックスと結合させて予め選定した時間に亘って非抗菌活性を有する放出プロフィールを与えるようにした抗菌性テトラサイクリン化合物を含む抗菌組成物。
【請求項１３】
前記放出プロフィールが、哺乳類中で約0.1μg/ml〜約1.0μg/mlの前記テトラサイクリン化合物血清濃度値を与える、請求項１２記載の抗菌組成物。
【請求項１４】
前記放出プロフィールを約6〜24時間に亘って実質的に一定速度に維持する、請求項１２記載の抗菌組成物。
【請求項１５】
前記抗菌性テトラサイクリン化合物が、テトラサイクリン、ドキシサイクリン、デメクロサイクリン、ミノサイクリン、およびリメサイクリンからなる群から選ばれる、請求項１２記載の抗菌組成物。
【請求項１６】
前記放出プロフィールが、哺乳類中で約0.4μg/ml〜約0.8μg/mlの前記ドキシサイクリン血清濃度値を与える、請求項１５記載の抗菌組成物。
【請求項１７】
前記除放剤が、即効性放出剤、持続性放出剤、遅延性放出剤およびこれらの組合せからなる群から選ばれる、請求項１２記載の抗菌組成物。
【請求項１８】
前記即効性放出剤が界面活性剤である、請求項１７記載の抗菌組成物。
【請求項１９】
前記持続性放出剤が、ゲル類、ワックス類、油脂類、乳化剤類、ポリマー類、澱粉、セルロースポリマー類、およびこれらの組合せからなる群から選ばれる、請求項１７記載の抗菌組成物。
【請求項２０】
前記セルロースポリマー類が、ヒドロキシプロピルメチルセルロース(HPMC)、ヒドロキシエチルセルロース(HEC)、ヒドロキシプロピルセルロース(HPC)、カルボキシメチルセルロース(CMC)、およびこれらの混合物からなる群から選ばれる、請求項１９記載の抗菌組成物。
【請求項２１】
前記遅延性放出剤が、高分子もしくは生分解性コーティングもしくはマトリックス、またはこれらの組合せからなる群から選ばれる、請求項１７記載の抗菌組成物。
【請求項２２】
前記テトラサイクリン化合物と前記除放剤間の結合が、物理結合、化学結合およびこれらの組合せからなる群から選ばれる、請求項１２記載の抗菌組成物。
【請求項２３】
少なくとも1種の除放剤を有する除放性マトリックスと結合させた前記テトラサイクリン化合物を錠剤として成形する、請求項１２記載の抗菌組成物。
【請求項２４】
前記哺乳類への投与が腸管内投与である、請求項１２記載の抗菌組成物。
【請求項２５】
単位投与量形態にある、請求項１に記載の組成物。